(57)【特許請求の範囲】
【請求項１】
薬液を収容する容器本体と、該容器本体の口部に装着するポンプ機構と、中心孔を有する連結部材を介して前記ポンプ機構の先端に連結するノズル部材と、該ノズル部材の上面の偏心位置に上向き垂直に立設する噴霧ノズルとを備えてなり、前記ノズル部材の天面には、前記中心孔を介して送り出される前記ポンプ機構からの薬液を前記噴霧ノズルに導く径方向のガイド溝を形成し、該ガイド溝は、前記ノズル部材のスカート部に嵌め込む前記連結部材の上面により薬液の流路を形成し、前記ノズル部材は、前記容器本体を正立状態に把持する手の親指または人差指により前記ポンプ機構を押下げ操作する操作面を上面に形成することを特徴とする点鼻薬容器。
【請求項２】
前記連結部材の上端部には、前記ノズル部材の天面に垂設するリングを押し拡げるようにして嵌合させる円筒部を形成することを特徴とする請求項１記載の点鼻薬容器。
【請求項３】
前記噴霧ノズルは、基端部の外形を上から下に滑らかに細径に絞ることを特徴とする請求項１または請求項２記載の点鼻薬容器。
【請求項４】
前記ポンプ機構は、着脱用のアダプタを介して前記容器本体の口部に装着し、前記ノズル部材の前記操作面を押すと、前記連結部材は、前記スカート部と一体のまま前記アダプタ内に下降することを特徴とする請求項１ないし請求項３のいずれか記載の点鼻薬容器。
【請求項５】
前記操作面には、滑り止めを形成することを特徴とする請求項１ないし請求項４のいずれか記載の点鼻薬容器。
【発明の詳細な説明】
【技術分野】
【０００１】
この発明は、鼻孔を介して薬液を投与する点鼻薬容器であって、特に使い勝手を向上させた点鼻薬容器に関する。
【背景技術】
【０００２】
点鼻薬は、一般に、鼻孔の奥の鼻孔内粘膜に対して投与する必要があり、薬液の投与には、専用の点鼻薬容器が用いられる。
【０００３】
従来の点鼻薬容器は、薬液を収納する容器本体の口部にポンプ機構を装着し、ポンプ機構の出口側にアダプタを連結して構成されている（たとえば特許文献１）。そこで、このものは、アダプタの先端部を鼻孔に差し入れ、容器本体の底部に掛けた親指と、アダプタの中途の指掛け部に掛けた人差指、中指とによりポンプ機構を伸縮させるようにして作動させることにより、容器本体内の薬液がアダプタの先端のノズル孔から霧状に噴霧され、鼻孔内に薬液を投与することができる。
【特許文献１】実開平３−１２９１５３号公報
【発明の開示】
【発明が解決しようとする課題】
【０００４】
かかる従来技術によれば、使用者は、親指と、人差指、中指とによって全体を保持した上、アダプタの先端部を鼻孔内に差し入れてポンプ機構を作動させる必要があるから、手を不自然に屈曲させて使用しなければならず、老人や、手の小さい幼児等の使用者にとって、必ずしも使用し易いとはいえないという問題があった。また、親指を容器本体の底部に掛けるため、容器本体の長さに限界があり、容器容量を十分大きくすることができないという問題もあった。
【０００５】
そこで、この発明の目的は、かかる従来技術の問題に鑑み、容器本体を上向きに把持しながら、親指または人差指で容易にポンプ機構を作動させることができ、誰れでも簡単に使用することができる上、必要に応じて容器容量を十分大きくすることができる点鼻薬容器を提供することにある。
【課題を解決するための手段】
【０００６】
かかる目的を達成するためのこの発明の構成は、薬液を収容する容器本体と、容器本体の口部に装着するポンプ機構と、中心孔を有する連結部材を介してポンプ機構の先端に連結するノズル部材と、ノズル部材の上面の偏心位置に上向き垂直に立設する噴霧ノズルとを備えてなり、ノズル部材の天面には、中心孔を介して送り出されるポンプ機構からの薬液を噴霧ノズルに導く径方向のガイド溝を形成し、ガイド溝は、ノズル部材のスカート部に嵌め込む連結部材の上面により薬液の流路を形成し、ノズル部材は、容器本体を正立状態に把持する手の親指または人差指によりポンプ機構を押下げ操作する操作面を上面に形成することをその要旨とする。
【０００７】
なお、連結部材の上端部には、ノズル部材の天面に垂設するリングを押し拡げるようにして嵌合させる円筒部を形成することができ、噴霧ノズルは、基端部の外形を上から下に滑らかに細径に絞ることができる。
【０００８】
また、ポンプ機構は、着脱用のアダプタを介して容器本体の口部に装着し、ノズル部材の操作面を押すと、連結部材は、スカート部と一体のままアダプタ内に下降してもよい。
【０００９】
さらに、操作面には、滑り止めを形成することができる。
【発明の効果】
【００１０】
かかる発明の構成によるときは、噴霧ノズルは、ノズル部材の上面に上向きに立設されており、利き手の親指または人差指を除く４本の指で容器本体を正立状態に把持すれば、噴霧ノズルの先端を容易に鼻孔内に差し入れ、親指または人差指でノズル部材の上面の操作面を繰返し押下げ操作することにより、ポンプ機構を作動させて噴霧ノズルからの薬液を鼻孔内に噴霧し、投与することができる。なお、ポンプ機構の作動軸は、上下方向であり、内蔵の復帰ばねを介し、ノズル部材を繰返し押下げ操作するだけで薬液を噴霧ノズルの先端から霧状に噴出させることができる。また、ノズル部材は、適当な連結部材を介して、薬液が送り出されるポンプ機構の先端に連結するものとする。
【００１１】
ノズル部材の上面の偏心位置に噴霧ノズルを立設すれば、親指または人差指による操作面の押下げ位置をノズル部材の軸心位置に一致させ、または十分近接させることができ、ポンプ機構を一層円滑に駆動操作することができる。なお、このとき、ノズル部材の天面には、ポンプ機構からの薬液を偏心位置の噴霧ノズルに導くために、径方向のガイド溝を形成するものとする。
【００１２】
ガイド溝は、ノズル部材に嵌め込む連結部材の上面により薬液の流路を形成することによって、ポンプ機構からの薬液を噴霧ノズルに確実に導くことができる。また、連結部材の上端部の円筒部は、ノズル部材の天面のリングに弾発的に嵌合させることにより、薬液の漏れを確実に防止する。
【００１３】
操作面に形成する滑り止めは、押下げ操作中の親指または人差指を操作面上に安定に位置決めする。ただし、滑り止めの形態は、平行リブ、交差リブ、円形リブなどの他、多数の小突起群を含む任意の形態を選択してよいものとする。
【発明を実施するための最良の形態】
【００１４】
以下、図面を以って発明の実施の形態を説明する。
【００１５】
点鼻薬容器は、容器本体１０と、ポンプ機構２０と、ノズル部材３０と、ノズル部材３０の上面に立設する噴霧ノズル３１とを主要部材としてなる（図１、図２）。ただし、図１（Ａ）、（Ｂ）は、それぞれ一部破断全体側面図、上面図である。容器本体１０には、ノズル部材３０を覆う着脱式のキャップ１０ａが付属している。
【００１６】
容器本体１０は、雄ねじ１１ａ付きの口部１１を有する円筒容器であり、所定量の薬液を内部に収容することができる。容器本体１０は、老人、幼児などを含む使用者が片手で正立状態に握って把持し得るサイズに設定されている。
【００１７】
ポンプ機構２０は、着脱用のアダプタ２１を介して容器本体１０の口部１１に装着されている。すなわち、ポンプ機構２０は、アダプタ２１のみが外部に露出しており、アダプタ２１以外の主要部材は、すべて容器本体１０、アダプタ２１に収納されている。
【００１８】
ポンプ機構２０は、アダプタ２１と、アダプタ２１を介して容器本体１０の口部１１に固定する縦長のケーシング２２と、ケーシング２２に上下動自在に収納するピストン２３と、ピストン２３の上部に連結する操作ロッド２４とを一体に組み立てて構成されている。なお、ケーシング２２内には、ピストン２３を上方に付勢する復帰ばね２５が内装されており、ケーシング２２の底部には、容器本体１０の底部に到達する薬液の吸引パイプ２６が連結されている。
【００１９】
ピストン２３の下端部には、上向きのフレア２３ａが形成されており、フレア２３ａは、ピストン２３の上下動に従ってケーシング２２の内面に沿って摺動する。また、ケーシング２２の上端部には、大径のカップ部２２ａが形成され、カップ部２２ａの上端縁には、外フランジ２２ｂが形成されている。操作ロッド２４の下端部には、カップ部２２ａの内面に沿って摺動する下向きのフレア２４ａが形成されている。ピストン２３の下部には、軸穴２３ｂが形成されており、軸穴２３ｂの上部は、ピストン２３に装着する可撓性の弁体２３ｃを介してカップ部２２ａ内に開口している。なお、カップ部２２ａの上部には、容器本体１０内に連通する戻し口２２ｃ、２２ｃが形成されている。ピストン２３の上部は、操作ロッド２４の下向き段付きの軸孔２４ｂに上向きに挿入され、上端部のテーパ部２３ｄを介して位置決めされている。
【００２０】
アダプタ２１の外周下半部には、ローレット２１ａ、２１ａ…が形成され、内周下半部には、口部１１の雄ねじ１１ａに適合する雌ねじ２１ｂが形成されている。ケーシング２２は、雄ねじ１１ａ、雌ねじ２１ｂを介してアダプタ２１を口部１１に装着することにより、パッキン２７ａを介して上端の外フランジ２２ｂを口部１１の上端面に固定することができる。なお、アダプタ２１の内部は、中間壁２１ｃを介して上下に２分されており、操作ロッド２４は、シール材２７ｂを介して中間壁２１ｃを下から上に摺動自在に貫通している。また、操作ロッド２４の上端部には、連結部材３２を介してノズル部材３０が連結され、操作ロッド２４の軸孔２４ｂは、連結部材３２の中心孔３２ａに連通している。連結部材３２は、ノズル部材３０の下部のスカート部３３に弾発的に嵌め込まれ、ノズル部材３０と一体になっている（図２、図３）。
【００２１】
連結部材３２は、上部外周の係合リブ３２ｂ、ノズル部材３０のスカート部３３の内周の係合リブ３３ａを介してノズル部材３０から抜止めされている。なお、ノズル部材３０のスカート部３３内には、連結部材３２の上端の段部３２ｃに弾発的に係合する位置決め用のリング３３ｂが垂設されている。また、連結部材３２の上端部には、円筒部３２ｅが形成されている。
【００２２】
連結部材３２は、操作ロッド２４の上端部を下向きの内筒３２ｄに差し込むことにより、操作ロッド２４、ノズル部材３０を一体に連結している。なお、操作ロッド２４の上端部外周、内筒３２ｄの内周には、互いに係合する係合リブがそれぞれ複数段に形成され、連結部材３２、ノズル部材３０が操作ロッド２４から不用意に外れないように抜止めされている。
【００２３】
ノズル部材３０の天面には、浅いガイド溝３４が径方向に形成されている。ガイド溝３４の一端は、ノズル部材３０の中心において、連結部材３２の中心孔３２ａを介して操作ロッド２４の軸孔２４ｂに連通しており、他端は、ノズル部材３０上の噴霧ノズル３１の軸孔３１ａの下端に連通している。なお、噴霧ノズル３１は、ノズル部材３０の上面の偏心位置に立設されている（図１、図２）。
【００２４】
ガイド溝３４は、ノズル部材３０に嵌め込む連結部材３２の上面により、連結部材３２の中心孔３２ａから噴霧ノズル３１の軸孔３１ａに至る薬液の流路を形成する。また、連結部材３２の上端部の円筒部３２ｅは、ノズル部材３０のリング３３ｂを押し拡げるようにして嵌合させることにより、薬液の漏れを防止することができる。
【００２５】
噴霧ノズル３１の軸孔３１ａは、下から上に複数段階に内径を大きく設定されている。軸孔３１ａの上部には、軸方向にロッド３１ｂが挿入され、軸孔３１ａの先端には、ノズルチップ３１ｃが取り付けられている。ロッド３１ｂは、軸孔３１ａの下端から流入する薬液の流速を高くしてノズルチップ３１ｃから霧状に噴出させることができ、かかる噴霧ノズル３１の詳細構造は、たとえば特開平６−２４５９７５号公報に開示されている。
【００２６】
ノズル部材３０の上面には、ポンプ機構２０を押下げ操作する操作面３５が形成されている。操作面３５には、たとえば平行リブ３５ａ、３５ａ…による滑り止めが施されている。そこで、操作面３５を図２の矢印Ｋ方向に押すと、連結部材３２は、ノズル部材３０のスカート部３３と一体のままアダプタ２１内に下降し、ケーシング２２内の復帰ばね２５を押し縮めながら、操作ロッド２４、ピストン２３を下降させることができる。また、ピストン２３、操作ロッド２４、連結部材３２、ノズル部材３０は、矢印Ｋ方向の押圧力を除去することにより、復帰ばね２５を介して元の上昇位置に自動復帰する。
【００２７】
かかる点鼻薬容器は、キャップ１０ａを取り外すことにより、鼻孔内に薬液を噴霧することができる（図４）。すなわち、親指を除く４本の手指により容器本体１０を正立状態に把持して噴霧ノズル３１の先端を鼻孔内に差し込み、親指によりノズル部材３０の操作面３５上に繰り返し押圧力を加えれば、ポンプ機構２０は、吸引パイプ２６を介して容器本体１０内の薬液を吸引し、ノズル部材３０の噴霧ノズル３１の先端から霧状に噴出させることができる。なお、噴霧ノズル３１は、基端部の外形を上から下に滑らかに細径に絞ることにより、必要十分な面積の操作面３５を形成することができる。
【００２８】
ポンプ機構２０において、ピストン２３の上向きのフレア２３ａは、ピストン２３が上昇する際に薬液の吸引用の逆止弁として働き、ピストン２３上の弁体２３ｃは、ピストン２３が下降する際に、ケーシング２２内の薬液をカップ部２２ａ内に流出させる。また、操作ロッド２４の下向きのフレア２４ａは、操作ロッド２４、ピストン２３が下降する際に、フレア２４ａ内の通路を介してカップ部２２ａ内の薬液を軸孔２４ｂに送り込み、連結部材３２の中心孔３２ａ、ノズル部材３０のガイド溝３４、噴霧ノズル３１の軸孔３１ａを経てノズルチップ３１ｃに送出する。そこで、薬液は、ノズルチップ３１ｃのノズル孔から噴出され、噴霧ノズル３１の先端から鼻孔内に霧状に噴霧される。なお、カップ部２２ａの戻し口２２ｃ、２２ｃは、操作ロッド２４、ピストン２３の下降時に、カップ部２２ａ内のエアまたは薬液の一部を容器本体１０に戻す。また、軸孔２４ｂ内には、カップ部２２ａからの薬液を連結部材３２、ノズル部材３０に向けて上向きに送出するために、ピストン２３との間に十分な隙間が形成されている。
【００２９】
使用後の点鼻薬容器は、キャップ１０ａを装着することにより、全体をコンパクトに収容し、便利に携帯することができる。
【００３０】
以上の説明において、容器本体１０は、人差指を除く４本の指により正立状態に把持してもよい（図５）。このとき、人差指は、ノズル部材３０の操作面３５に対して横から掛け、人差指を介して操作面３５を繰返し押下げ操作すればよい。
【００３１】
また、噴霧ノズル３１をストレートの円柱状にしてノズル部材３０の上面の軸心上に立設し（図６）、ノズル部材３０の径方向に一部突出させるようにして操作面３５を形成してもよい。なお、図６のアダプタ２１は、操作面３５が突出する側の上端縁を低く、反対側を十分高く滑らかに斜めに形成することにより、ノズル部材３０を上下に円滑に操作することができる。
【図面の簡単な説明】
【００３２】
【図１】全体構成説明図
【図２】要部拡大縦断面図
【図３】一部破断要部拡大分解斜視図
【図４】使用状態説明図（１）
【図５】使用状態説明図（２）
【図６】他の実施の形態を示す図４相当図
【符号の説明】
【００３３】
１０…容器本体
１１…口部
２０…ポンプ機構
３０…ノズル部材
３１…噴霧ノズル
３２…連結部材
３２ｅ…円筒部
３３…スカート部
３３ｂ…リング
３４…ガイド溝
３５…操作面
特許出願人          伸晃化学株式会社
代理人  弁理士        松  田  忠  秋
【図１】
0005191215.tif 000002
【図２】
0005191215.tif 000003
【図３】
0005191215.tif 000004
【図４】
0005191215.tif 000005
【図５】
0005191215.tif 000006
【図６】
0005191215.tif 000007